(57)【特許請求の範囲】
【請求項１】
建屋の天井裏に設置され、内部に室内熱交換器と送風機を収容するユニット本体と、
前記ユニット本体の下面部もしくは背面部に設けられ、前記送風機を駆動することにより、天井裏の空気が前記ユニット本体内に吸込まれ、前記室内熱交換器に導かれる吸込み口と、
前記吸込み口の周縁部で、互いに対向する辺部に着脱自在に取付けられる一対の支持用レールと、
前記支持用レールに所定間隔を存して複数設けられ、前記吸込み口の周縁部の端部に掛止する第１の引掛け爪および前記吸込み口の周縁に設けられる引掛け孔に挿入する第２の引掛け爪とで構成される引掛け爪部と、
前記一対の支持用レールに前記ユニット本体の側部から挿脱自在に嵌め込まれ、前記吸込み口を介して前記ユニット本体内に吸込まれる空気から塵埃を捕捉するエアフィルタと、
を具備することを特徴とするビルトイン型空気調和機。
【請求項２】
前記エアフィルタは、複数枚に分割され、
それぞれの前記分割エアフィルタは、フィルタ枠と、前記フィルタ枠間に張設され流通する空気から塵埃を捕捉するフィルタ部とからなり、
一方の前記分割エアフィルタにおけるフィルタ枠の側面部に連結用掛止部が設けられ、他方の前記分割エアフィルタにおけるフィルタ枠の他側面部に掛合部が設けられ、
前記複数の分割エアフィルタが前記支持用レールに嵌め込まれた状態で、一方の前記分割エアフィルタにおける前記フィルタ枠の前記連結用掛止部に、他方の前記分割エアフィルタにおける前記フィルタ枠の前記掛合部が掛止する
ことを特徴とする請求項１記載のビルトイン型空気調和機。
【請求項３】
前記エアフィルタには、前記ユニット本体の前記吸込み口周縁部に着脱自在な爪部が設けられる
ことを特徴とする請求項１および請求項２のいずれかに記載のビルトイン型空気調和機。
【発明の詳細な説明】
【技術分野】
【０００１】
本発明の実施態様は、建屋の天井裏に設置され、空気を吸込んで熱交換し、吹出しダクトを介して室内へ吹出すビルトイン型空気調和機に関する。
【背景技術】
【０００２】
建屋の天井裏に設置されるビルトイン型空気調和機（天井埋込み型空気調和機）が多用される。ユニット本体内に、室内熱交換器と送風機が収容され、一側部に吸込み口が設けられ、他側部に吹出しダクトが接続される。送風機が駆動し、空気を吸込み口から吸込んで室内熱交換器と熱交換させ、吹出しダクトから室内へ吹出す。
【０００３】
このようなユニット本体において、たとえば、［特許文献１］に示すように、吹出しダクトは、ユニット本体（本体ケーシング）の一側部に接続される。これに対して吸込み口は、本体他側部の下面部と背面部のいずれを選択しても良いように、予め、ユニット本体は形作られている。
【先行技術文献】
【特許文献】
【０００４】
【特許文献１】特許第３３６５１３５号公報
【発明の概要】
【発明が解決しようとする課題】
【０００５】
［特許文献１］に限らず従来構造のビルトイン型空気調和機は、下面部もしくは背面部の選択された吸込み口にエアフィルタを取付けて、ユニット本体内に吸込まれる空気から塵埃を捕捉し濾過する。具体的には、止めねじ等でエアフィルタを吸込み口周縁部に着脱自在に取付けて組立が完成し、この状態で現場に搬入している。
【０００６】
しかるに、長期の使用に亘ればメンテナンス作業を必要とする。特に、エアフィルタには捕捉した塵埃が厚く積もって目詰まりを生じているのが普通であるから、これを取外して付着している塵埃を除去しなければならない。
【０００７】
ところが、天井化粧板に設けられる点検口は、必ずしもエアフィルタの直下部に対向して設けられているとは限らず、ある程度、位置ずれしている場合が多い。作業員が、点検口から身体を乗り出してユニット本体に直接、取付けられるエアフィルタを取外し、また取付けるには、無理な姿勢が強制されて作業性が極めて悪いものである。
【０００８】
このような事情から、ユニット本体の下面部もしくは背面部に設けられる吸込み口を覆うエアフィルタに対するメンテナンス作業性の向上化を図ったビルトイン型空気調和機が望まれていた。
【課題を解決するための手段】
【０００９】
本実施形態のビルトイン型空気調和機は、ユニット本体が建屋の天井裏に設置され、内部に室内熱交換器と送風機を収容する。ユニット本体の下面部もしくは背面部に吸込み口が設けられ、送風機を駆動することにより吸込み口を介して空気がユニット本体内に吸込まれ、室内熱交換器に導かれる。
一対の支持用レールが、吸込み口の周縁部で、互いに対向する辺部に着脱自在に取付けられる。
吸込み口の周縁部の端部に掛止する第１の引掛け爪および吸込み口の周縁に設けられる引掛け孔に挿入する第２の引掛け爪とで構成される引掛け爪部が、支持用レールに所定間隔を存して複数設けられる。
エアフィルタが一対の支持用レールにユニット本体の側部から挿脱自在に嵌め込まれ、吸込み口を介してユニット本体内に吸込まれる空気から塵埃を捕捉する。
【図面の簡単な説明】
【００１０】
【図１】第１の実施形態に係る、ビルトイン型空気調和機の側面図。
【図２】同実施形態に係る、ビルトイン型空気調和機を下方から見上げた外観斜視図。
【図３】第２の実施形態に係る、ビルトイン型空気調和機の側面図。
【図４】同実施形態に係る、ビルトイン型空気調和機を下方から見上げた外観斜視図。
【図５】同実施形態に係る、エアフィルタの取付け構造を概略的に説明するための、ビルトイン型空気調和機の一部を分解した斜視図。
【図６】同実施形態に係る、エアフィルタの取付け構造を概略的に説明するための、ビルトイン型空気調和機の一部縦断面図。
【図７】同実施形態に係る、図６の一部を拡大した図。
【図８】第３の実施形態に係る、ビルトイン型空気調和機の背面を示す図。
【図９】同実施形態に係る、ビルトイン型空気調和機の一部横断平面図と、その一部を拡大した図。
【図１０】第４の実施形態に係る、エアフィルタの外観斜視図。
【図１１】同実施形態に係る、ビルトイン型空気調和機の一部上面図。
【図１２】同実施形態に係る、ビルトイン型空気調和機の一部縦断面図と、その一部を拡大した図。
【発明を実施するための形態】
【００１１】
以下、本実施形態を図面にもとづいて説明する。  
図１は、第１の実施形態に係るビルトイン型空気調和機ＡＣの側面図。図２は同実施形態に係るビルトイン型空気調和機ＡＣを下方から見上げた状態の外観斜視図である。
【００１２】
ビルトイン型空気調和機ＡＣは、室内（被空調室）Ｒ面積が比較的大きな建屋Ｓの天井裏Ｕに設置される。  
具体的には、ユニット本体１Ａの側部に吊り金具２が突設され、この吊り金具２に設けられる孔部に、建屋Ｓの天井Ｔから垂設される吊りボルトＦが挿入される。さらに、吊りボルトＦにナットが螺挿され、吊り金具２とともにユニット本体１Ａが吊持される。
【００１３】
ユニット本体１Ａは、高さ方向寸法が、幅方向（紙面の表裏方向）の寸法および奥行き方向（紙面の左右方向）の寸法よりも短い、薄型の矩形箱状をなす。天井化粧板Ｋから下方部がビルトイン型空気調和機ＡＣによって熱交換される空間部である室内Ｒとなっている。
【００１４】
ユニット本体１Ａの正面部ａに、吹出しダクト３が接続される。この吹出しダクト３はユニット本体１Ａから建屋Ｓの天井裏Ｕである天井化粧板Ｋと天井Ｔとの間に沿って延設され、天井化粧板Ｋの所定位置に設けられる図示しない吹出しグリルに接続される。  
ユニット本体１Ａの下面部ｂに、エアフィルタ４が取付けられる。このエアフィルタ４は、ユニット本体１Ａに設けられる吸込み口５Ａを後述するように覆い、かつ吸込み口５Ａに対して着脱自在となっている。
【００１５】
また、ユニット本体１Ａの背面部ｃにも吸込み口５Ｂが設けられているが、ここでは遮風板６によって閉塞される。すなわち、予め、ユニット本体１Ａには下面部ｂおよび背面部ｃとに吸込み口５Ａ，５Ｂが設けられていて、据付け現場の事情に応じて、いずれか一方の吸込み口５もしくは５Ｂが選択される。  
ユニット本体１Ａの内部には、図示しない室内熱交換器と送風機が収容配置される。特に室内熱交換器は、図２に示す冷媒配管接続口７ａに接続される冷媒配管（ガス管）と、冷媒配管接続口７ｂに接続される冷媒配管（液管）を用いて、図示しない室外機に接続される。また、ユニット本体１Ａの内部には、図４に示すように、電気部品箱９が収容配置される。
【００１６】
天井化粧板Ｋにおける、ユニット本体１に取付けられるエアフィルタ４と対向する部位には、吸込み案内グリルＧが設けられる。  
なお、天井化粧板Ｋの一部に、図示しない点検口が設けられ、開閉可能な閉塞化粧板によって閉塞される。点検口の位置はメンテナンスの頻度が高い電気部品箱９の近傍に設けられることが多い。
【００１７】
このようにして構成されるビルトイン型空気調和機ＡＣであり、室外機に収容される圧縮機を駆動することで、室外機から室内熱交換器へ冷媒が循環し、室内熱交換器では冷媒が蒸発または凝縮する。  
その一方で、室内Ｒ空気が吸込み案内グリルＧを介してエアフィルタ４で覆われる吸込み口５からユニット本体１Ａ内部に導かれる。そして、室内熱交換器を流通し、内部に循環する冷媒と熱交換する。
【００１８】
室内熱交換器の作用によって、ユニット本体１Ａ内に吸込まれた空気は冷気または暖気に変わる。これら冷気または暖気は、吹出しダクト３へ吹出され、さらに吹出しグリルから室内Ｒへ導かれる。したがって、室内Ｒの冷房作用または暖房作用をなす。  
なお、各冷媒配管接続口７ａ，７ｂが設けられるのと同じ側面部に、図示しないドレンポンプから延設される配管接続口８ａと、図示しないドレンパンから延設されるドレン排出口８ｂが設けられる。
【００１９】
図３は、第２の実施形態に係るビルトイン型空気調和機ＡＣの側面図。図４は同実施形態に係るビルトイン型空気調和機ＡＣを下方から見上げた状態の外観斜視図である。  
ビルトイン型空気調和機ＡＣを構成するユニット本体１Ｂは、先に第１の実施形態で説明したものと同一の高さ方向寸法と幅方向寸法および奥行き方向寸法に設計される矩形箱状をなす。吊りボルトＦを介して天井裏Ｕに吊持されることと、左右幅方向の一側部ａに吹出しダクト３が接続されることも変りがない。
【００２０】
また、ユニット本体１Ｂの一側部ｄに、一対の冷媒配管接続口７ａ，７ｂと、ドレン配管接続口８ａおよびドレン排出口８ｂが設けられることも同様であるが、ここでは一部側板を外して見せている。すなわち、電気部品箱９が取付けられていて、必要なメンテナンスができるようになっている。
【００２１】
前記吹出しダクト３の接続部とは反対側のユニット本体１の他側部、すなわち背面部ｃに吸込み口５Ｂが設けられ、これを後述する手段で着脱自在に取付けられたエアフィルタ４が覆う。第１の実施形態ではエアフィルタ４が取付けられていた下面部ｂの吸込み口５Ａは、エアフィルタ４が取外され、代って遮風板６によって閉塞される。
【００２２】
なお、天井化粧板Ｋの一部に、図示しない点検口が設けられ、開閉可能な閉塞化粧板によって閉塞される。点検口の位置はメンテナンスの頻度が高い電気部品箱９の近傍に設けられることが多い。
【００２３】
エアフィルタ４の取付け位置が異なることで、ユニット本体１Ｂ内部を流通する空気の流れが直線的となる。すなわち、エアフィルタ４で覆われる吸込み口５Ｂがユニット本体１Ｂの背面部ｃに設けられ、吹出しダクト３はユニット本体１Ｂの一側部ａに接続されることによる。  
作用的には、第１の実施形態と何ら変わることなく、室内Ｒの冷房作用または暖房作用をなす。
【００２４】
つぎに、エアフィルタ４の取付け構造について詳述する。  
図５は、第２の実施形態に係るエアフィルタ４の取付け構造を説明するためのビルトイン型空気調和機ＡＣの一部を分解した斜視図。図６は同実施形態に係るビルトイン型空気調和機ＡＣの一部縦断面図。図７は同実施形態に係る図６のＡ部とＢ部を拡大した図である。
【００２５】
ユニット本体１Ｂの背面部ｃは全面的に開口され、矩形状の吸込み口５Ｂとなっている。吸込み口５Ｂに対向するユニット本体１Ｂ内部には、前述した送風機１０が配置される。この送風機１０は、二軸の駆動モータと、ケーシングに囲まれ軸方向から空気を吸込んで周面である吹出し口体から吹出す一対のシロッコファンからなる。
【００２６】
吸込み口５Ｂは、開口部の周縁に沿って各辺部が折曲げ形成され、特に上辺部５０ａと下辺部５０ｂには、互いに所定間隔を存して引掛け孔１１が設けられる。これら、吸込み口５Ｂの上辺部５０ａと下辺部５０ｂには、後述する上辺支持用レール１２ａと下辺支持用レール１２ｂとからなる支持用レール１２が掛脱自在に取付けられる。
【００２７】
すなわち、支持用レール１２には互いに所定間隔を存して引掛け爪部１３が設けられる。それぞれの引掛け爪部１３は、支持用レール１２の端縁から内側に折曲げ形成される第１の引掛け爪１３ａと、この第１の引掛け爪１３ａの近傍に、端縁を切り離し中途部から内側に折曲げ形成される第２の引掛け爪１３ｂとからなる。
【００２８】
さらに、支持用レール１２には、この長手方向に沿ってレール部１４が設けられる。吸込み口５Ｂの上辺部に取付けられる上辺支持用レール１２aには、断面逆Ｕ字状のレール部１４が形成され、吸込み口５Ｂの下辺部に取付けられる下辺支持用レール１２ｂには、断面Ｕ字状のレール部１４が形成される。
【００２９】
このような上辺支持用レール１２ａに設けられる第１の引掛け爪１３ａを、吸込み口５Ｂを形成する上辺部５０ａの端縁に掛止するとともに、第２の引掛け爪１３ｂを上辺部５０ａに設けられる引掛け孔１１に挿入する。
【００３０】
上辺支持用レール１２ａは、高低差のある第１の引掛け爪１３ａと第２の引掛け爪１３ｂとで吸込み口５Ｂの上辺部５０ａに掛止される。しかも、第１、第２の引掛け爪１３ａ，１３ｂからなる引掛け爪部１３は上辺支持用レール１２ａに所定間隔を存して複数設けられるところから、確実に吸込み口５Ｂの上辺部５０ａに取付けられる。
【００３１】
なお、吸込み口５Ｂの下辺部５０ｂに下辺支持用レール１２ｂを取付けるにあたっても、上辺支持用レール１２ａと同様に、下辺支持用レール１２ｂに設けられる第１の引掛け爪１３ａを、吸込み口５Ｂを形成する下辺部５０ｂの端縁に掛止するとともに、第２の引掛け爪１３ｂを下辺部５０ｂに設けられる引掛け孔１１に挿入する。  
支持用レール１２は矩形状に形成される吸込み口５Ｂの上辺部５０ａと下辺部５０ｂに沿って一対、着脱自在に取付けられることになる。
【００３２】
一方、エアフィルタ４は、周縁部を形成するフィルタ枠４０と、フィルタ枠４０の内部全体に設けられたフィルタ部４１とからなる。フィルタ枠４０は、たとえば合成樹脂製の剛体で断面Ｌ字状に形成される。フィルタ部４１は、吸込み口５Ｂを覆い、吸込み空気に含まれる塵埃を捕捉する。蛇腹状に形成され、塵埃の捕捉面積を増大している。
【００３３】
このエアフィルタ４におけるフィルタ枠４０において、上辺部フィルタ枠４０ａと下辺部フィルタ枠４０ｂを形成する垂直片部４００が、支持用レール１２のレール部１４に挿入される。  
なお説明すると、吸込み口５の上辺部５０ａと下辺部５０ｂに取付けられた上下一対の支持用レール１２のレール部１４に、エアフィルタ４における上下辺部フィルタ枠４０ａ，４０ｂの垂直片部４００を同時に挿入する。図４に示すように、吸込み口５Ｂを２枚のエアフィルタ４，４で覆った状態で完成する。
【００３４】
ビルトイン型空気調和機ＡＣを据付け現場に搬入し、図のように吊り下げボルトＦで吊持する。つぎに吹出しダクト３および室外機等を接続することで、空調運転が可能となる。運転にともなってエアフィルタ４は吸込み空気に含まれる塵埃を捕捉する。長期の使用に亘るとエアフィルタ４に目詰まりが生じ易い。
【００３５】
そこで、定期的にメンテナンス作業を行う。天井化粧板Ｋには点検口が設けられていて、常時は化粧板によって閉塞されている。メンテナンス作業を行うにあたって、化粧板を取外して点検口を開放する。作業者は点検口から天井裏Ｕへ身体を乗り出して、ユニット本体１Ｂからエアフィルタ４に手を掛ける。
【００３６】
ほとんどの場合、エアフィルタ４の直下部に点検口は無く、位置ずれして設けられている。従来のように、ユニット本体１Ｂにエアフィルタ４がねじ止めされていれば、極めて作業し難いが、本実施形態のようにエアフィルタ４を支持用レール１２に沿ってずらせていけば、比較的容易にユニット本体１Ｂから取外せて、手間がかからない。
【００３７】
取外したエアフィルタ４を指定の場所に運び、ここでフィルタ部４１に付着する塵埃を除去する。清掃したエアフィルタ４を再びユニット本体１Ｂまで運んで支持用レール１２に嵌め込む。  
このときも、上下の支持用レール１２のレール部１４に、エアフィルタ４の上下辺部フィルタ枠４０ａ，４０ｂの垂直片部４００を同時に合わせて挿入していけばよく、比較的手間がかからず作業性が向上する。
【００３８】
なお、以上は第２の実施形態で説明したビルトイン型空気調和機ＡＣとして、ユニット本体１Ｂの背面部ｃに吸込み口５Ｂを設けて、支持用レール１２を介してエアフィルタ４を支持することとしたが、これに限定されるものではない。  
第１の実施形態で説明したビルトイン型空気調和機ＡＣとして、ユニット本体１Ａの下面部ｂに吸込み口５Ａを設け、エアフィルタ４で覆う場合についても同様の構造を適用できる。
【００３９】
つぎに、エアフィルタ４が複数枚、たとえば２枚に分割されて成り立つ場合の、エアフィルタ４の取り扱い性について説明する。  
図８は、第３の実施形態に係るビルトイン型空気調和機ＡＣの背面を示す図。図９は同実施形態に係るビルトイン型空気調和機ＡＣの一部横断平面図と、この一部を拡大した図である。
【００４０】
運転能力が大であるユニット本体１Ｂは、高さ方向寸法に比較して幅方向寸法が極端に長い。この背面部ｃに設けられる吸込み口５Ｂも同様寸法になり、吸込み口５Ｂを覆うエアフィルタ４も長手方向が極端に長い寸法になってしまう。  
この事情は第１の実施形態でも同様であるが、以下、第２の実施形態を適用して詳細に説明する。
【００４１】
以上の構成のエアフィルタ４であると、ユニット本体１Ｂから取外した後の取り扱い性が極めて面倒になる。そこで、エアフィルタ４を長手方向に複数枚、たとえば２枚に分割することで、ユニット本体１Ｂから取外した後の取り扱い性の容易化を図れる。  
しかしながら、エアフィルタ４を単に分割化しただけでは、メンテナンス作業にあたってユニット本体１Ｂからエアフィルタ４を取外す際に問題がある。
【００４２】
すなわち、最初に分割したエアフィルタ（以下、「第１の分割エアフィルタ」と呼ぶ）４Ａを支持用レール１２に沿って（図８中に実線で示す矢印の方向に）移動し取外しても、残りの分割したエアフィルタ（以下、「第２の分割エアフィルタ」と呼ぶ）４Ｂは、いまだ支持用レール１２のセット位置に残ったままである。
【００４３】
このとき、点検口から比較的近い位置に第１の分割エアフィルタ４Ａがあって比較的容易に取外しできても、支持用レール１２に残る第２の分割エアフィルタ４Ｂは、第１の分割エアフィルタ４Ａよりも遠い位置になるので、作業員は遠くまで手を伸ばさなければならない。
【００４４】
作業員は、この状態で第２の分割エアフィルタ４Ｂを支持用レール１２に沿って移動し、第１の分割エアフィルタ４Ａがあった位置を介して支持用レール１２から取外す必要があり、作業性が悪い。以上は、第１の実施形態でも全く同様である。
【００４５】
そこで、予め、第１の分割エアフィルタ４Ａを構成するフィルタ枠４０で第２の分割エアフィルタ４Ｂと対向する側部４０ｃに掛合孔（掛合部）４５を設け、第２の分割エアフィルタ４Ｂを構成するフィルタ枠４０で第１の分割エアフィルタ４Ａと対向する側部４０ｄに連結用掛止爪（連結用掛止部）４６を設ける。
【００４６】
はじめ、第２の分割エアフィルタ４Ｂを支持用レール１２に嵌め込み、所定位置までスライド付勢しセットする。つぎに、第１の分割エアフィルタ４Ａを支持用レール１２に嵌め込み、スライド付勢する。第１の分割エアフィルタ４Ａが第２の分割エアフィルタ４Ｂに当接するまでセットする。
【００４７】
したがって、図９（Ａ）に示すように、第１の分割エアフィルタ４Ａと第２の分割エアフィルタ４Ｂが一体化して、エアフィルタ４を構成する。さらに述べれば、図９（Ｂ）に示すように、第１の分割エアフィルタ４Ａに設けられる掛合孔４５に、第２の分割エアフィルタ４Ｂに設けられる連結用掛止爪４６が掛合する。
【００４８】
なお、第２の分割エアフィルタ４Ｂ全体を支持用レール１２に嵌め込んだところで、第１の分割エアフィルタ４Ａの先端部を支持用レール１２に嵌め込んで掛合孔４５と連結用掛止爪４６を掛合させ、第２の分割エアフィルタ４Ｂと連結してもよい。  
この状態で、第１の分割エアフィルタ４Ａのみを（図８中に破線で示す矢印の方向に）移動付勢することで、第２の分割エアフィルタ４Ｂを追従させる（この場合は、「押し込む」）ことができ、互いに所定位置まで移動できる。
【００４９】
本体１Ｂの吸込み部５Ｂの端部には、図８および図９に示すように、ストッパ５０ｃが設けられており、第２の分割エアフィルタ４Ｂが本体１Ｂからはみだすことがない。  
いずれにしても、所定位置にセットした状態で、第１の分割エアフィルタ４Ａのフィルタ枠側面部４０ｃと第２の分割エアフィルタ４Ｂのフィルタ枠側面部４０ｄが互いに密着し、第１の分割エアフィルタ４Ａと第２の分割エアフィルタ４Ｂとの間に隙間が存在しない。空気が漏れることが無く、空気に含まれる塵埃を確実に捕捉する。
【００５０】
メンテナンス作業にあたって、作業員が第１の分割エアフィルタ４Ａに手を掛け、支持用レール１２に沿って（図８中に実線で示す矢印の方向に）移動していくと、第２の分割エアフィルタ４Ｂも一体に追従する。第１の分割エアフィルタ４Ａが支持用レール１２から外れたところで、ここに設けられる掛合孔４５から第２の分割エアフィルタ４Ｂの連結用掛止爪４６を外す。
【００５１】
したがって、第１の分割エアフィルタ４Ａのみ支持用レール１２から解放可能となる。そのあと、支持用レール１２に残る第２の分割エアフィルタ４Ｂに手を掛ける。この第２の分割エアフィルタ４Ｂは作業員の近くまで移動してきているので、比較的容易に作業でき、支持用レール１２から取外せる。
【００５２】
取外した互いの分割エアフィルタ４Ａ，４Ｂを所定の部位まで移動し、フィルタ部４１に対する目詰まり除去等の作業を行う。作業終了後は、再び、第２の分割エアフィルタ４Ｂを支持用レール１２に嵌め込み所定位置までスライド付勢する。そのあと、第１の分割エアフィルタ４Ａを支持用レール１２に嵌め込み所定位置までスライド付勢する。
【００５３】
再び、第１の分割エアフィルタ４Ａの掛合孔４５が、第２の分割エアフィルタ４Ｂの連結用掛止爪４６に掛合する。第１の分割エアフィルタ４Ａと第２の分割エアフィルタ４Ｂは一体化し、吸込み口５Ｂに吸込まれる空気から塵埃を捕捉し濾過する。エアフィルタ４としての性能は何ら損なわれることはなく、メンテナンス作業性の容易化を図れる。
【００５４】
なお、全ての分割化したエアフィルタ４Ａ，４Ｂに対して、エアフィルタ枠４０の一側部４０ｃに掛合孔４５を設け、他側部４０ｄに連結用掛止爪４６を設けるようにしてもよい。  
この場合、支持用レール１２に嵌め込む順を特に気にせずとも、一方の分割化したエアフィルタ４Ａを上下に反転した状態で嵌め込みスライド付勢することで、必然的に連結用掛止爪４６と掛合孔４５とが対向し、掛合することとなる。分割エアフィルタ４Ａ，４Ｂが一体化するので、さらに作業性の向上を得られる。
【００５５】
先に説明した第１の実施形態として、下面部ｂに吸込み口５Ａを設けたユニット本体１Ａであって、点検口が位置ずれして設けられていても、吸込み口５Ａの対向する辺部に支持用レール１２を取付け、エアフィルタ４を支持用レール１２に沿って移動自在とすることで、作業性の向上を図れることを説明した。
【００５６】
しかるに、吸込み口５Ａを覆うエアフィルタ４と対向する天井化粧板Ｋ部位に設けられる吸込み案内グリルＧを取外し自在として、取外した後の開口部を点検口として用いる場合もある。すなわち、エアフィルタ４の直下部に点検口が存在するので、この場合は、特にエアフィルタ４を移動する必要もない。
【００５７】
また、ユニット本体１の側部のスペースに余裕がなく、エアフィルタ４を移動できない場合もある。当然、ユニット本体１Ａとは点検口を位置ずれして設けることはできず、吸込み口５Ａで覆われるエアフィルタ４の直下部に点検口が設けられる。  
この場合の構造を、第４の実施形態として説明する。
【００５８】
図１０は、第４の実施形態に係るエアフィルタ４の外観斜視図。図１１は同実施形態に係るビルトイン型空気調和機ＡＣの一部上面図。図１２は同実施形態に係るビルトイン型空気調和機ＡＣの一部縦断面図と、その一部を拡大した図である。
【００５９】
第４の実施形態では、エアフィルタ４は、周縁部を断面略Ｌ字状に曲成したフィルタ枠４０と、このフィルタ枠４０内に亘って張設されたフィルタ部４１とからなる。フィルタ枠４０の上辺部４０ａと下辺部４０ｂとに、複数（２個ずつ）の爪部５０が、互いに所定間隔を存して突設される。
【００６０】
すなわち、エアフィルタ４は、先に説明したエアフィルタをそのまま用いて、コストの低減化を図る。フィルタ４を支持用レール１２に嵌め込む際は、図７（Ｂ）に示すように爪部５０が外側に向くようフィルタ４の前後面を逆とすることで、爪部５０が支持用レール１２の邪魔にならない。
【００６１】
これに対して、図１１および図１２に示すように、ユニット本体１Ａの吸込み口５Ａの周縁部５１にエアフィルタ４の爪部５０が挿入され、掛合する。吸込み口５Ａはエアフィルタ４で覆われることとなり、吸込み口５Ａから吸込まれる空気から塵埃を除去できることは変りがない。
【００６２】
そして、メンテナンス作業時に、ここでは図示しない点検口を開放すれば、エアフィルタ４が目の前に位置しているので、容易にエアフィルタ４を取外しできる。エアフィルタ４に付着している塵埃を除去した後、再び吸込み口５Ａを覆う作業が容易に行える。
【００６３】
なお、この種の構造は、吸込み口５Ａがユニット本体１Ａの下面部ｂに設けられるばかりでなく、ユニット本体１の背面部ｃに吸込み口５Ｂが設けられ、エアフィルタ４で覆われる第１の実施形態の構造にも適用できる。  
また、ユニット本体１Ａの吸込み口５Ａの周縁部５１は、第１、第２の実施形態で説明した支持用レール１２を着脱自在に取付けるための引掛け孔１１が設けられる。
【００６４】
このことで、ビルトイン型空気調和機ＡＣの据付け現場において、エアフィルタ４を、支持用レール１２を介して取付けるか、支持用レール１２を取外してユニット本体１Ａに直接取付けるかを、状況に応じて判断する。以上説明したように、いずれの場合も容易に適用できる。
【００６５】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態やその変形は、発明の範囲や要旨に含まれるとともに、特許請求の範囲に記載された発明とその均等の範囲に含まれる。
【符号の説明】
【００６６】
Ｓ…建屋、Ｕ…天井空間、１Ａ、１Ｂ…ユニット本体、５Ａ，５Ｂ…吸込み口、１２…支持用レール、４…エアフィルタ、４Ａ…第１の分割エアフィルタ、４Ｂ…第２の分割エアフィルタ、４０…フィルタ枠、４１…フィルタ部、４６…連結用掛止爪（連結用掛止部）、４５…掛合部（掛合孔）、５１…引掛け溝（引掛け部）、５０…爪部。
【図１】
0005894816.tif 000002
【図２】
0005894816.tif 000003
【図３】
0005894816.tif 000004
【図４】
0005894816.tif 000005
【図５】
0005894816.tif 000006
【図６】
0005894816.tif 000007
【図７】
0005894816.tif 000008
【図８】
0005894816.tif 000009
【図９】
0005894816.tif 000010
【図１０】
0005894816.tif 000011
【図１１】
0005894816.tif 000012
【図１２】
0005894816.tif 000013